(57)【特許請求の範囲】
【請求項１】
複数のスイッチング素子を有して直流と交流との間で電力を変換するインバータ回路を形成するスイッチング素子ユニットと、前記インバータ回路の直流側の電圧を平滑するコンデンサユニットとを備えたインバータユニットであって、
前記コンデンサユニットは、当該インバータユニットの基準面に直交する方向である第１方向における長さが第１長さの第１部分と、前記第１方向における長さが前記第１長さよりも短い第２長さの第２部分とを有すると共に、前記第１部分と前記第２部分とが前記基準面に沿って隣接して配置され、
前記スイッチング素子ユニットは、前記第１方向に見て、前記第２部分と重複し、前記第１部分と前記第２部分との前記基準面に沿った並び方向である第２方向に見て、前記第１部分と重複して配置されているインバータユニット。
【請求項２】
前記コンデンサユニットは、内部に複数のコンデンサ素子を有し、前記第１部分における前記コンデンサ素子の前記第１方向の長さは、前記第２部分における前記コンデンサ素子の前記第１方向の長さよりも長い請求項１に記載のインバータユニット。
【請求項３】
前記第１部分には、前記コンデンサユニットの正負それぞれの電極である第１正電極及び第１負電極が、それぞれ前記第１方向に沿う側面に沿った側面電極を有して備えられ、
前記スイッチング素子ユニットは、前記インバータ回路の直流側の正極及び負極に接続される正極端子及び負極端子を備え、
前記第１正電極と前記正極端子とを電気的に接続する第１正極バスバー、及び、前記第１負電極と前記負極端子とを電気的に接続する第１負極バスバーは、それぞれ、前記側面電極に接した状態で前記第１方向に延びる第１方向延在部を有する請求項１又は２に記載のインバータユニット。
【請求項４】
２つの前記第１部分が、前記第１方向及び前記第２方向に直交する第３方向に沿った２箇所に、間隔を空けて分割配置され、
前記スイッチング素子ユニットの前記正極端子及び前記負極端子は、分割配置された２つの前記第１部分の間に配置され、
分割配置された２つの前記第１部分の前記側面電極が前記第３方向に見て対向するように、２つの前記第１部分の内の一方に前記第１正電極が形成され、他方に前記第１負電極が形成され、
前記第１正極バスバー及び前記第１負極バスバーは、それぞれ、前記第１正電極及び前記第１負電極に沿うと共に前記第３方向に見て対向するように配置されている請求項３に記載のインバータユニット。
【請求項５】
前記基準面に沿う面を第１電極面とし、前記第１電極面から前記第２長さ離間すると共に前記第１電極面に平行な面を第２電極面として、
前記第２部分は、前記コンデンサユニットの正負それぞれの電極として、前記第１方向における一方側に前記第１電極面又は前記第２電極面の何れか一方に沿って形成された第２正電極、他方側に前記第１電極面又は前記第２電極面の何れか一方に沿って形成された第２負電極を備え、
前記第１電極面及び前記第２電極面の何れか一方に沿うと共に前記第２正電極に電気的に接続される第２正極バスバーと、前記第１電極面及び前記第２電極面の何れか他方に沿うと共に前記第２負電極に電気的に接続される第２負極バスバーとを備え、
前記第１正極バスバーが前記第２正極バスバーに連続して形成されると共に、前記第１負極バスバーが前記第２負極バスバーに連続して形成されている請求項３又は４に記載のインバータユニット。
【請求項６】
前記コンデンサユニットを収容するコンデンサケースを備え、
前記コンデンサケースは、前記第１正極バスバー及び前記第１負極バスバーのそれぞれの前記第１方向延在部に沿った板状突出部を有する請求項３から５の何れか一項に記載のインバータユニット。
【請求項７】
前記コンデンサユニットを収容するコンデンサケースを備え、
前記コンデンサケースは、前記第１方向における、前記スイッチング素子ユニットと前記第２部分との間に、冷媒が流通する冷媒流路を備える請求項１から６の何れか一項に記載のインバータユニット。
【請求項８】
前記インバータ回路を駆動制御する制御ユニットを備え、前記コンデンサユニット、前記スイッチング素子ユニット、前記制御ユニットが、前記第１方向に沿って記載の順に積層されている請求項１から７の何れか一項に記載のインバータユニット。
【発明の詳細な説明】
【技術分野】
【０００１】
本発明は、インバータ回路を形成するスイッチング素子ユニットと、インバータ回路の直流側の電圧を平滑するコンデンサユニットとを備えたインバータユニットに関する。
【背景技術】
【０００２】
インバータ回路を形成するスイッチング素子ユニットや、インバータ回路の直流側の平滑コンデンサを形成するコンデンサユニットが一体化されてインバータユニットが構成される場合がある。下記に文献番号を示す特許文献１には、コンデンサモジュール（３００）と、パワーモジュール（５００）とが一体化された電力変換装置が開示されている（図３３（Ａ）〜（Ｃ）等。尚、背景技術において括弧内の符号は参照する文献のもの。）。この電力変換装置では、直方体状のコンデンサモジュール（３００）の上に、冷却用の水路形成体（２２０）を挟んで平板状のパワーモジュール（５００）が積層配置されている。【０００３】
積層方向に沿った平面視において、パワーモジュール（５００）の面積はコンデンサモジュール（３００）の面積よりも小さい。コンデンサモジュール（３００）からは、積層方向に見てコンデンサモジュール（３００）とパワーモジュール（５００）とが重複しない位置から、パワーモジュール（５００）の方向へ、平板導体（３０１）が延伸している。平板導体（３０１）は積層方向に直交する方向に見てパワーモジュール（５００）と重複する位置まで延伸し、パワーモジュール（３０１）と接続される。積層方向に直交する方向に見て、コンデンサモジュール（３００）はパワーモジュール（５００）とは重複することなく、平板導体（３０１）を介して、コンデンサモジュール（３００）とパワーモジュール（５００）とが電気的に接続される。【０００４】
上述したように、平面視においてパワーモジュール（５００）の面積はコンデンサモジュール（３００）の面積よりも小さいが、パワーモジュール（５００）の横には、コンデンサモジュール（３００）との接続のための平板導体（３０１）が位置している。積層方向に沿ってコンデンサモジュール（３００）から平板導体（３０１）が延伸しているため、インダクタンスや電気抵抗など、平板導体（３０１）のインピーダンスが充分に低減されているとは言えない面がある。
【先行技術文献】
【特許文献】
【０００５】
【特許文献１】特開２０１３−１７６２９７号公報
【発明の概要】
【発明が解決しようとする課題】
【０００６】
上記背景に鑑みて、スイッチング素子ユニット及びコンデンサユニットを備えたインバータユニットの配線のインピーダンスの低減が望まれる。
【課題を解決するための手段】
【０００７】
１つの態様として、上記に鑑みたインバータユニットは、複数のスイッチング素子を有して直流と交流との間で電力を変換するインバータ回路を形成するスイッチング素子ユニットと、前記インバータ回路の直流側の電圧を平滑するコンデンサユニットとを備えたインバータユニットであって、
前記コンデンサユニットは、当該インバータユニットの基準面に直交する方向である第１方向における長さが第１長さの第１部分と、前記第１方向における長さが前記第１長さよりも短い第２長さの第２部分とを有すると共に、前記第１部分と前記第２部分とが前記基準面に沿って隣接して配置され、
前記スイッチング素子ユニットは、前記第１方向に見て、前記第２部分と重複し、前記第１部分と前記第２部分との前記基準面に沿った並び方向である第２方向に見て、前記第１部分と重複して配置されている。【０００８】
この構成によれば、第１方向に見てコンデンサユニットの第２部分とスイッチング素子ユニットとが重複しており、第１方向をいわゆる積層方向としてコンデンサユニットの上にスイッチング素子ユニットが積層配置される。さらに、第２方向に見てコンデンサユニットの第１部分とスイッチング素子ユニットとが重複しており、コンデンサユニットの上に配置されたスイッチング素子ユニットの側方（積層方向（第１方向）に直交する横方向（第２方向））のスペースが有効に利用されている。つまり、スイッチング素子ユニットは、第２方向に沿って、コンデンサユニットの第１部分と隣接するように配置することができるので、短い距離でスイッチング素子ユニットとコンデンサユニットとを電気的に接続することができる。これにより、スイッチング素子ユニットとコンデンサユニットとを電気的に接続する際のインダクタンスや電気抵抗などのインピーダンスを低減させることができる。即ち、本構成によれば、スイッチング素子ユニット及びコンデンサユニットを備えたインバータユニットの配線のインピーダンスを低減することができる。【０００９】
インバータユニットのさらなる特徴と利点は、図面を参照して説明する実施形態についての以下の記載から明確となる。
【図面の簡単な説明】
【００１０】
【図１】インバータユニットの外観斜視図
【図２】インバータユニットの分解斜視図
【図３】インバータユニットの模式的回路ブロック図
【図４】コンデンサユニットの上方からの外観斜視図
【図５】コンデンサユニットの下方からの外観斜視図
【図６】コンデンサ素子の配置例を模式的に示す図
【図７】コンデンサ素子の配置例を模式的に示す図
【図８】コンデンサ素子の配置例を模式的に示す図
【図９】インバータユニットの分解斜視図
【図１０】インバータユニットの分解斜視図
【発明を実施するための形態】
【００１１】
以下、インバータユニットの実施形態を図面に基づいて説明する。図１はインバータユニット１の外観斜視図、図２はインバータユニット１の分解斜視図、図３はインバータユニット１の模式的回路ブロック図を示している。図１及び図２に示すように、インバータユニット１は、制御ユニット２と、スイッチング素子ユニット３と、コンデンサケース７に収容されたコンデンサユニット４とが第１方向Ｄ１（積層方向）に積層されて構成されている。図３に示すように、スイッチング素子ユニット３は、複数のスイッチング素子３０を有して構成され、車両の駆動力源となる回転電機８０と直流電源１１に接続されて直流と交流との間で電力を変換するインバータ回路１０を形成している。制御ユニット２は、インバータ回路１０が有する複数のスイッチング素子３０をスイッチング制御するための制御信号を生成するインバータ制御装置２０、及び、制御信号に駆動力を付加して中継するドライブ回路２１を有して構成されている。コンデンサユニット４は、インバータ回路１０の直流側の電圧である直流リンク電圧Ｖｄｃを平滑する平滑コンデンサ（直流リンクコンデンサ）である。
【００１２】
図２に示すように、コンデンサユニット４は、インバータユニット１の基準面Ｒ１に直交する方向である第１方向Ｄ１における長さが第１長さＬ１の第１部分４１と、第１方向Ｄ１における長さが第２長さＬ２の第２部分４２とを有する。尚、第２長さＬ２は第１長さＬ１よりも短い。また、第１部分４１と第２部分４２とは、基準面Ｒ１に沿って隣接して配置されている。図１及び図２に示すように、スイッチング素子ユニット３は、第１方向Ｄ１に見て、第２部分４２と重複し、第１部分４１と第２部分４２との基準面Ｒ１に沿った並び方向である第２方向Ｄ２に見て、第１部分４１と重複して配置されている。
【００１３】
コンデンサユニット４は、１つのコンデンサ素子４０によって形成されていても良いが、上述したように第１方向Ｄ１における長さが異なる２つの部分を有するため、複数のコンデンサ素子４０によって形成されていてもよい。図６〜図８は、複数のコンデンサ素子４０を有して形成されている形態を例示している。図６〜図８における上段は、第１方向Ｄ１及び第２方向Ｄ２に直交する第３方向Ｄ３に沿って見たコンデンサ素子４０の配置を示し、下段は第１方向に沿って見たコンデンサ素子４０の配置を示している。
【００１４】
図６は、２つの第１部分４１、４つの第２部分４２を有してコンデンサユニット４が形成されている形態を例示している。下記に図４、図５等も参照して詳細な構成を例示するコンデンサユニット４は、図６に示す形態に準じたものとして説明する。符号４１ａ，４１ｂは、図２、図４、図５等における同一符号の第１部分４１に対応している。また、符号４２ａ，４２ｂ，４２ｃは、図２、図４、図５等における同一符号の第２部分４２に対応している。図７は、２つの第１部分４１、５つの第２部分４２を有してコンデンサユニット４が形成されている形態を例示している。図７では、図２、図４、図５等における同一符号の第１部分４１に対応する符号４１ａ，４１ｂ、図２、図４、図５等における同一符号の第２部分４２に対応する符号４２ｃのみを例示している。図８は、１つのコンデンサ素子４０に第１部分４１と第２部分４２とが形成され、さらに複数のコンデンサ素子４０によってコンデンサユニット４が形成されている形態を例示している。この場合も、符号４１ａ，４１ｂは、図２、図４、図５等における同一符号の第１部分４１に対応し、符号４２ａ，４２ｂ，４２ｃは、図２、図４、図５等における同一符号の第２部分４２に対応している。
【００１５】
このようにコンデンサユニット４が複数のコンデンサ素子４０によって形成される場合には、種々のバリエーションが存在する。コンデンサユニット４は、第１部分４１と第２部分とが以下のように配置されていれば、１つのコンデンサ素子４０によって形成されていても、図６〜図８に例示したように、複数のコンデンサ素子４０を有して形成されていても何れでも良い。即ち、コンデンサユニット４は、第１方向Ｄ１における長さが第１長さＬ１の第１部分４１と、第１方向Ｄ１における長さが第２長さＬ２の第２部分４２とを有し、第１部分４１と第２部分４２とが、基準面Ｒ１に沿って隣接して配置されていれば、単一の素子（４０）で形成されても複数の素子（４０）で形成されてもよい。
【００１６】
尚、ケースやカバーにコンデンサ素子４０が収容されてコンデンサユニット４が形成される場合に、コンデンサユニット４の内部に収容されるコンデンサ素子４０自体の第１方向Ｄ１の長さが同一であっても、コンデンサユニット４の外観において第１長さＬ１が第２長さＬ２よりも長くなるようにコンデンサユニット４を形成することが可能である。しかし、本実施形態のコンデンサユニット４ではこのような形態は含まれない。第１方向Ｄ１の長さが同一のコンデンサ素子４０を用いたコンデンサユニット４の外部で第１方向Ｄ１の長さを異ならせるためには、コンデンサユニット４の内部で何らかの配線等が必要となるため、電気抵抗やインダクタンスなどのインピーダンスが増加する可能性がある。これは、インバータユニット１の電気的特性を低下させる可能性がある。従って、コンデンサ素子４０が単一か複数かに拘わらず、第１部分４１におけるコンデンサユニット４内のコンデンサ素子４０の第１方向Ｄ１の長さが、第２部分４２におけるコンデンサ素子４０の第１方向Ｄ１の長さよりも長い形態を対象とする。
【００１７】
ここで、インバータユニット１の回路構成について説明する。上述したように、インバータユニット１は、インバータ回路１０を介して回転電機８０を駆動制御する。車両の駆動力源としての回転電機８０は、複数相の交流（ここでは３相交流）により動作する回転電機であり、電動機としても発電機としても機能することができる。インバータ回路１０は、直流電源１１及び交流の回転電機８０に接続されて直流と複数相の交流（ここでは３相交流）との間で電力変換を行う。直流電源１１は、例えば、ニッケル水素電池やリチウムイオン電池などの二次電池（バッテリ）や、電気二重層キャパシタなどの大電圧大容量の直流電源であり、定格の電源電圧は、例えば２００〜４００［Ｖ］である。回転電機８０は、インバータ回路１０を介して直流電源１１からの電力を動力に変換する（力行）。或いは、回転電機８０は、不図示の内燃機関や車輪から伝達される回転駆動力を電力に変換し、インバータ回路１０を介して直流電源１１を充電する（回生）。
【００１８】
インバータ回路１０は、複数のスイッチング素子３０を有して構成される。スイッチング素子３０には、ＩＧＢＴ（Insulated Gate Bipolar Transistor）やパワーＭＯＳＦＥＴ（Metal Oxide Semiconductor Field Effect Transistor）やＳｉＣ−ＭＯＳＦＥＴ（Silicon Carbide - Metal Oxide Semiconductor FET）やＳｉＣ−ＳＩＴ（SiC - Static Induction Transistor）、ＧａＮ−ＭＯＳＦＥＴ（Gallium Nitride - MOSFET）などの高周波での動作が可能なパワー半導体素子を適用すると好適である。図３には、スイッチング素子３０としてＩＧＢＴが用いられる形態を例示している。
【００１９】
図３に示すように、インバータ回路１０の直流正極側（正極Ｐ）と直流負極側（負極Ｎ）との間に２つのスイッチング素子３０が直列に接続されて１つのアーム３０Ａが構成される。３相交流の場合には、この直列回路（１つのアーム３０Ａ）が３回線（３相）並列接続される。つまり、回転電機８０のＵ相、Ｖ相、Ｗ相に対応するステータコイル８１のそれぞれに一組の直列回路（アーム）が対応したブリッジ回路が構成される。また、それぞれのスイッチング素子３０には、下段側から上段側へ向かう方向を順方向として、並列にフリーホイールダイオード３５が接続されている。対となる各相のスイッチング素子３０による直列回路（アーム３０Ａ）の中間点、つまり、正極Ｐの側のスイッチング素子３０（上段側スイッチング素子３１）と負極Ｎの側のスイッチング素子３０（下段側スイッチング素子３２）との接続点は、回転電機８０の３相のステータコイル８１にそれぞれ接続される。
【００２０】
このようなスイッチング素子３０を複数個有したインバータ回路１０は、しばしば、ＩＰＭ（Intelligent Power Module）やＩＰＤ（Intelligent Power Device）と称されるユニットとして構成される。本実施形態のスイッチング素子ユニット３は、そのようなＩＰＭやＩＰＤである。ここでは、３相分のアーム３０Ａが１つのスイッチング素子ユニット３として構成されている形態を例示しているが、１つのＩＰＭやＩＰＤが１相のアーム３０Ａを形成し、複数のＩＰＭやＩＰＤにより、スイッチング素子ユニット３が構成されていてもよい。
【００２１】
インバータ回路１０は、インバータ制御装置（INV-CTRL）２０により制御される。インバータ制御装置２０は、マイクロコンピュータ等の論理回路を中核部材として構築されている。例えば、インバータ制御装置２０は、車両の最も上位の制御装置の１つである車両制御装置（VHL-CTRL）１００等の他の制御装置等からＣＡＮ（Controller Area Network）などを介して要求信号として提供される回転電機８０の目標トルクに基づいて、ベクトル制御法を用いた電流フィードバック制御を行って、インバータ回路１０を介して回転電機８０を制御する。
【００２２】
回転電機８０の各相のステータコイル８１を流れる実電流は電流センサ１２により検出され、回転電機８０のロータの各時点での磁極位置は、レゾルバなどの回転センサ１３により検出され、インバータ制御装置２０はこれらの検出結果を取得する。インバータ制御装置２０は、電流センサ１２及び回転センサ１３の検出結果を用いて、電流フィードバック制御を実行する。インバータ制御装置２０は、電流フィードバック制御のために種々の機能部を有して構成されており、各機能部は、マイクロコンピュータ等のハードウエアとソフトウエア（プログラム）との協働により実現される。電流フィードバック制御については、公知であるのでここでは詳細な説明は省略する。
【００２３】
インバータ回路１０を構成する各スイッチング素子３０の制御端子（例えばＩＧＢＴのゲート端子）は、ドライブ回路（DRV-CCT）２１を介してインバータ制御装置２０に接続されており、それぞれ個別にスイッチング制御される。マイクロコンピュータなどを中核として構成された車両制御装置１００やインバータ制御装置２０の動作電圧（回路の電源電圧）は、例えば５［Ｖ］や３．３［Ｖ］であり、回転電機８０を駆動するための高圧系回路とは、動作電圧（回路の電源電圧）が大きく異なる。多くの場合、インバータ制御装置２０等は、直流電源１１よりも低電圧（例えば１２〜２４［Ｖ］）の電源である低圧直流電源（不図示）から電力を供給されて動作する。このように動作電圧が大きく異なるため、ドライブ回路２１は、各スイッチング素子３０に対するスイッチング制御信号（例えばゲート駆動信号）の駆動能力（例えば電圧振幅や出力電流など、後段の回路を動作させる能力）をそれぞれ高めて中継する（増幅する）。制御ユニット２には、インバータ制御装置２０及びドライブ回路２１が形成されている。
【００２４】
図２に示すように、コンデンサユニット４は、第２方向Ｄ２の一端側が開放されたコンデンサケース７のケース本体７１に、第２方向Ｄ２に沿って側方から挿入される。コンデンサユニット４が通ったケース本体７１の開放部分には、スライドカバー７４が取り付けられ、コンデンサユニット４は、コンデンサケース７に収容される。コンデンサケース７は、少なくとも１つのコンデンサ素子４０を備えたコンデンサユニット４の全てのコンデンサ素子４０を収容する。本実施形態では、ケース本体７１の底面をインバータユニット１の基準面Ｒ１としている。コンデンサユニット４がコンデンサケース７に収容された状態において、コンデンサユニット４の底面Ｒ４は、基準面Ｒ１とほぼ一致する。従って、コンデンサユニット４単体で見た場合には、コンデンサユニット４の底面Ｒ４を基準面としても等価である。
【００２５】
コンデンサユニット４が収容されたコンデンサケース７の上方に、スイッチング素子ユニット３が取り付けられ、さらに、スイッチング素子ユニット３の上方に制御ユニット２が取り付けられる。つまり、コンデンサユニット４、スイッチング素子ユニット３、制御ユニット２が、第１方向Ｄ１に沿って順に積層されて、インバータユニット１が形成される。
【００２６】
コンデンサケース７は、第１方向Ｄ１における、スイッチング素子ユニット３と第２部分４２との間に、冷媒が流通する冷媒流路８を備えている。スイッチング素子ユニット３の下方（第１方向Ｄ１に沿ってコンデンサケース７の側）には、冷却用のフィン３Ｆが形成されている。冷媒流路８を流れる冷媒とフィン３Ｆとの間で熱交換することによって、スイッチング素子ユニット３が冷却される。また、スイッチング素子ユニット３よりも発熱量は小さいがコンデンサユニット４も発熱する部材である。スイッチング素子ユニット３とコンデンサユニット４との間に、冷媒流路８を備えることによって、両ユニットを１つの冷却部材によって冷却することができる。従って、インバータユニット１を小型化することができる。
【００２７】
スイッチング素子ユニット３は、回転電機８０のステータコイル８１に接続するための交流バスバー９３（図１参照）と接続するための交流端子３Ａ（Ｕ相端子３Ｕ，Ｖ相端子３Ｖ、Ｗ相端子３Ｗ）、及び、直流リンク電圧Ｖｄｃに接続される直流端子３Ｄ（正極端子３Ｐ，負極端子３Ｎ）を有している。図１及び図２に示すように、コンデンサケース７のセンサ取付部７８には、電流センサ１２が取り付けられている。電流センサ１２には交流バスバー９３が貫通しており、例えば非接触で各相の電流が検出される。交流バスバー９３の一端側はスイッチング素子ユニット３の交流端子３Ａと接続されている。交流バスバー９３の他端側には、交流接続端子９５が形成されており、ステータコイル８１と接続される。詳細は、後述するが、直流端子３Ｄ（正極端子３Ｐ，負極端子３Ｎ）は、コンデンサユニット４の第１バスバー５（第１正極バスバー５Ｐ，第１負極バスバー５Ｎ）と電気的に接続される。尚、インバータユニット１は、交流端子台９に設けられた固定端子９７、及び、コンデンサケース７に形成された固定端子９８に締結部材を貫通させて、車両等に固定される。
【００２８】
上述したように、コンデンサユニット４は、第１方向Ｄ１における長さが第１長さＬ１の第１部分４１と、第１方向Ｄ１における長さが第２長さＬ２の第２部分４２とを有し、第１部分４１と第２部分４２とは、基準面Ｒ１に沿って隣接して配置されている。また、スイッチング素子ユニット３は、第１方向Ｄ１に見て、第２部分４２と重複し、第１部分４１と第２部分４２との基準面Ｒ１に沿った並び方向である第２方向Ｄ２に見て、第１部分４１と重複して配置されている。即ち、図１及び図２より明らかなように、第２方向Ｄ２に見てコンデンサユニット４の第１部分４１とスイッチング素子ユニット３とが重複しており、コンデンサユニット４の上に配置されたスイッチング素子ユニット３の側方（第２方向Ｄ２）のスペースが有効に利用されている。
【００２９】
つまり、スイッチング素子ユニット３は、第２方向Ｄ２に沿って、コンデンサユニット４の第１部分４１と隣接するように配置されており、短い距離でスイッチング素子ユニット３とコンデンサユニット４とを電気的に接続することができる。詳細は後述するが、図１に示すように、コンデンサユニット４の第１バスバー５（第１正極バスバー５Ｐ，第１負極バスバー５Ｎ）と、スイッチング素子ユニット３の直流端子３Ｄ（正極端子３Ｐ，負極端子３Ｎ）とは、近接しており短い距離で電気的に接続されている。従って、スイッチング素子ユニット３とコンデンサユニット４とを電気的に接続する際のインダクタンスや電気抵抗などのインピーダンスを低減させることができる。
【００３０】
本実施形態のコンデンサユニット４は、コンデンサユニット４自体のインピーダンス、並びに、スイッチング素子ユニット３などの他の部品との間のインピーダンスを低減することができる構造を備えている。コンデンサユニット４自体のインピーダンスの低減については上記において説明したので、以下、スイッチング素子ユニット３などの他の部品との間のインピーダンスを低減するための構造、具体的には端子配置などについて説明する。
【００３１】
図４は、コンデンサユニット４の上方からの外観斜視図であり、図５は、コンデンサユニット４の下方からの外観斜視図である。第１部分４１には、コンデンサユニット４の正負それぞれの電極である第１正電極４１Ｐ及び第１負電極４１Ｎが、それぞれ第１方向Ｄ１に沿う側面に沿った側面電極４１Ｅとして形成されている。第２部分４２には、コンデンサユニット４の正負それぞれの電極として、第１方向Ｄ１における一方側に第１電極面Ｅ１及び第２電極面Ｅ２の何れか一方に沿って形成された第２正電極４２Ｐ、他方側に第１電極面Ｅ１及び第２電極面Ｅ２の何れか他方に沿って形成された第２負電極４２Ｎが形成されている。本実施形態では、第１方向Ｄ１における一方側に第２電極面Ｅ２に沿って形成された第２正電極４２Ｐが形成され、他方側に第１電極面Ｅ１に沿って形成された第２負電極４２Ｎが形成されている。尚、第１電極面Ｅ１は、基準面Ｒ１に沿う面であり、第２電極面Ｅ２は、第１電極面Ｅ１から第２長さＬ２離間すると共に第１電極面Ｅ１に平行な面である。
【００３２】
また、図２を参照して上述したように、スイッチング素子ユニット３は、インバータ回路１０の直流側の正極Ｐ及び負極Ｎに接続される直流端子３Ｄとして、正極端子３Ｐ及び負極端子３Ｎを備えている。また、コンデンサユニット４は、スイッチング素子ユニット３の直流端子３Ｄ（正極端子３Ｐ，負極端子３Ｎ）と、第１部分４１の側面電極４１Ｅ（第１正電極４１Ｐ，第１負電極４１Ｎ）とを接続する第１バスバー５を備えている。第１バスバー５は、第１正極バスバー５Ｐ及び第１負極バスバー５Ｎを含み、第１正極バスバー５Ｐは、第１正電極４１Ｐと正極端子３Ｐとを電気的に接し、第１負極バスバー５Ｎは、第１負電極４１Ｎと負極端子３Ｎとを電気的に接続する。
【００３３】
上述したように、側面電極４１Ｅは、第１部分４１において第１方向Ｄ１に沿う側面に沿った電極である。図４及び図５に示すように、第１バスバー５は、それぞれ、側面電極４１Ｅに接した状態で第１方向Ｄ１に延びる第１方向延在部５１を有している。また、第１バスバー５は、それぞれ第１方向延在部５１の端部から第３方向Ｄ３へ屈曲した接続部５２を有している。２つの第１部分４１（４１ａ，４１ｂ）は、第３方向Ｄ３に沿った２箇所に、間隔を空けて分割配置されている。分割配置された２つの第１部分４１（４１ａ，４１ｂ）の側面電極４１Ｅは、第３方向Ｄ３に見て対向するように、それぞれの第１部分４１（４１ａ，４１ｂ）に配置されている。２つの第１バスバー５は、それぞれ側面電極４１Ｅに接しており、２つの第１バスバー５も第３方向Ｄ３に見て対向している。それぞれの第１方向延在部５１の端部から屈曲した接続部５２は、互いに近接する方向へ屈曲している。
【００３４】
スイッチング素子ユニット３の正極端子３Ｐ及び負極端子３Ｎは、分割配置された２つの第１部分４１（４１ａ，４１ｂ）の間に配置される。正極端子３Ｐは、第１正極バスバー５Ｐの端部から屈曲した第１正極接続部５２Ｐに締結部材を用いて締結されて電気的に接続される。同様に、負極端子３Ｎは、第１負極バスバー５Ｎの端部から屈曲した第１負極接続部５２Ｎに締結部材を用いて締結されて電気的に接続される。
【００３５】
このように、２つの第１部分４１（４１ａ，４１ｂ）の間に、スイッチング素子ユニット３の直流端子３Ｄ（正極端子３Ｐ及び負極端子３Ｎ）が配置されることにより、コンデンサユニット４とスイッチング素子ユニット３との距離が短くなり、インバータユニット１の空間利用効率が高くなる。また、１つの第１部分４１（４１ａ，４１ｂ）が対向する面のそれぞれに側面電極４１Ｅが形成されているので、スイッチング素子ユニット３の直流端子３Ｄ（３Ｐ，３Ｎ）と側面電極４１Ｅとの距離も近くなる。従って、スイッチング素子ユニット３の直流端子３Ｄ（３Ｐ，３Ｎ）と側面電極４１Ｅとを電気的に接続する第１バスバー５（５Ｐ，５Ｎ）の長さも短くすることができ、第１バスバー５（５Ｐ，５Ｎ）のインピーダンスも低減することができる。
【００３６】
上述したように、第２部分４２には、コンデンサユニット４の正負それぞれの電極として、第１方向Ｄ１における一方側に第２電極面Ｅ２に沿って形成された第２正電極４２Ｐが形成され、他方側に第１電極面Ｅ１に沿って形成された第２負電極４２Ｎが形成されている。コンデンサユニット４は、第２正電極４２Ｐに電気的に接続される第２正極バスバー６Ｐ、第２負電極４２Ｎに電気的に接続される第２負極バスバー６Ｎを有している。第２正極バスバー６Ｐは、第２正電極４２Ｐが沿う電極面（第１電極面Ｅ１又は第２電極面Ｅ２、ここでは第２電極面Ｅ２）に沿って平板状に形成された正極平板部６２Ｐ（平板部６２）を有している。第２負極バスバー６Ｎは、第２負電極４２Ｎが沿う電極面（第１電極面Ｅ１又は第２電極面Ｅ２、ここでは第１電極面Ｅ１）に沿って平板状に形成された負極平板部６２Ｎ（平板部６２）を有している。尚、第２正極バスバー６Ｐ、第２負極バスバー６Ｎを総称して第２バスバー６と称する。
【００３７】
第２バスバー６の平板部６２に接続される第２正電極４２Ｐ及び第２負電極４２Ｎは、コンデンサユニット４やスイッチング素子ユニット３によって阻害されることなく、比較的広い電極として形成することができるので、インピーダンスを低減することができる。また、これらの第２正電極４２Ｐ及び第２負電極４２Ｎに接続される第２バスバー６の平板部６２も、同様に、基準面Ｒ１に沿った方向において比較的広い導体として形成されているので、インピーダンスを低減することができる。
【００３８】
図４及び図５に示すように、第１正極バスバー５Ｐは、第２正極バスバー６Ｐに連続して一体的に形成されている。より具体的には、第２正極バスバー６Ｐの正極平板部６２Ｐに連続して一体的に形成されている。また、第１負極バスバー５Ｎは、第２負極バスバー６Ｎに連続して一体的に形成されている。より具体的には、第２負極バスバー６Ｎの負極平板部６２Ｎに連続して一体的に形成されている。
【００３９】
第２バスバー６は、さらに、第１電極面Ｅ１及び第２電極面Ｅ２から、第１方向Ｄ１に沿って共にコンデンサ素子４０の側に屈曲した第１部分接続部６１を有している。第１部分接続部６１は、第２バスバー６の平板部６２に連続して一体的に形成されている。具体的には、正極第１部分接続部６１Ｐは、第２正極バスバー６Ｐの正極平板部６２Ｐから屈曲して一体的に形成されている。負極第１部分接続部６１Ｎは、第２負極バスバー６Ｎの負極平板部６２Ｎから屈曲して一体的に形成されている。第１部分４１に形成される側面電極４１Ｅは、２つの第１部分４１（４１ａ，４１ｂ）が対向する面にだけ形成されるのではなく、それぞれの第１部分４１（４１ａ，４１ｂ）において第３方向Ｄ３の双方の側面に形成されている。正極第１部分接続部６１Ｐ及び負極第１部分接続部６１Ｎは、それぞれ、２つの第１部分４１（４１ａ，４１ｂ）が対向していない面に形成された側面電極４１Ｅに電気的に接続されている。
【００４０】
即ち、第１部分４１において側面電極４１Ｅとして形成されている正負両電極は、第１バスバー５の第１方向延在部５１又は第２バスバー６の第１部分接続部６１に電気的に接続されている。また、第２部分４２の正負両電極は、第２バスバー６の平板部６２に電気的に接続されている。さらに、第１バスバー５と第２バスバー６とは、連続して一体的に形成されている。従って、コンデンサユニット４を形成する全ての部位（第１部分４１及び第２部分４２、或いは、全てのコンデンサ素子４０）の正負両電極は、連続したバスバーによって電気的に接続されている。従って、例えばコンデンサユニット４における第１部分４１と第２部分４２との間にインピーダンスによる電位差が生じないように、適切にコンデンサユニット４をインバータ回路１０の直流側に接続することができる。即ち、コンデンサユニット４自体のインピーダンスを低減して電気的特性の優れた直流リンクコンデンサが形成される。
【００４１】
また、第１バスバー５の接続部５２は短く、コンデンサユニット４から近い位置でスイッチング素子ユニット３と電気的に接続される。従って、直流リンクコンデンサとインバータ回路１０との接続箇所におけるインピーダンスも低減される。尚、図４及び図５に示すように、第２バスバー６の平板部６２には、さらに、直流電源接続部６３（正極直流電源接続部６３Ｐ，負極直流電源接続部６３Ｎ）も一体的に形成されている。従って、直流リンクコンデンサと直流電源１１との接続箇所におけるインピーダンスも低減される。
【００４２】
ところで、第１正極バスバー５Ｐ及び第１負極バスバー５Ｎには、大電流が流れる。この電流により発生する磁界によってインダクタンスが増加する。このインダクタンスを低減するため、  図９及び図１０に示すように、コンデンサケース７に、第１正極バスバー５Ｐ及び第１負極バスバー５Ｎのそれぞれの第１方向延在部５１に沿った板状突出部７９が設けられると好適である。図９には、ケース本体７１に板状突出部７９Ａが設けられている形態を例示している。また、図１０には、ケース本体７１に取り付けられるスライドカバー７４に板状突起部７９Ｂが設けられている形態を例示している。尚、ここではスライドカバー７４を例示しているが、カバーはケース本体７１に対してネジなどの締結部材によって取り付けられる形態であってもよい。
【００４３】
第１バスバー５（第１正極バスバー５Ｐ及び第１負極バスバー５Ｎ）を流れる電流によって生じた磁界によって、板状突出部７９に渦電流が発生する。この渦電流が発生する磁界は、第１バスバー５を流れる電流によって生じた磁界と向きが逆方向となる。即ち、渦電流によって生じる磁界は、第１バスバー５を流れる電流によって生じる磁界を打ち消す方向であり、相互インダクタンス効果によって、第１バスバー５のインダクタンスが低減される。
【００４４】
以上、説明したように、スイッチング素子ユニット３及びコンデンサユニット４を備え、小型で配線インピーダンスが低減されたインバータユニット１を実現することができる。
【００４５】
〔実施形態の概要〕
以下、上記において説明したインバータユニット（１）の概要について簡単に説明する。
【００４６】
１つの態様として、複数のスイッチング素子（３０）を有して直流と交流との間で電力を変換するインバータ回路（１０）を形成するスイッチング素子ユニット（３）と、前記インバータ回路（１０）の直流側の電圧（Ｖｄｃ）を平滑するコンデンサユニット（４）とを備えたインバータユニット（１）は、
前記コンデンサユニット（４）は、当該インバータユニット（１）の基準面（Ｒ１）に直交する方向である第１方向（Ｄ１）における長さが第１長さ（Ｌ１）の第１部分（４１）と、前記第１方向（Ｄ１）における長さが前記第１長さ（Ｌ１）よりも短い第２長さ（Ｌ２）の第２部分（４２）とを有すると共に、前記第１部分（４１）と前記第２部分（４２）とが前記基準面（Ｒ１）に沿って隣接して配置され、
前記スイッチング素子ユニット（３）は、前記第１方向（Ｄ１）に見て、前記第２部分（４２）と重複し、前記第１部分（４１）と前記第２部分（４２）との前記基準面（Ｒ１）に沿った並び方向である第２方向（Ｄ２）に見て、前記第１部分（４１）と重複して配置されている。
【００４７】
この構成によれば、第１方向（Ｄ１）に見てコンデンサユニット（４）の第２部分（４２）とスイッチング素子ユニット（３）とが重複しており、第１方向（Ｄ１）をいわゆる積層方向としてコンデンサユニット（４）の上にスイッチング素子ユニット（３）が積層配置される。さらに、第２方向（Ｄ２）に見てコンデンサユニット（４）の第１部分（４１）とスイッチング素子ユニット（３）とが重複しており、コンデンサユニット（４）の上に配置されたスイッチング素子ユニット（３）の側方（積層方向（第１方向（Ｄ１））に直交する横方向（第２方向（Ｄ２）））のスペースが有効に利用されている。つまり、スイッチング素子ユニット（３）は、第２方向（Ｄ２）に沿って、コンデンサユニット（４）の第１部分（４１）と隣接するように配置することができる。また、これにより、スイッチング素子ユニット（３）とコンデンサユニット（４）とを短い距離で電気的に接続することができる。従って、スイッチング素子ユニット（３）とコンデンサユニット（４）とを電気的に接続する際のインダクタンスや電気抵抗などのインピーダンスを低減させることができる。即ち、本構成によれば、スイッチング素子ユニット（３）及びコンデンサユニット（４）を備えたインバータユニット（１）の配線のインピーダンスを低減することができる。
【００４８】
ここで、前記コンデンサユニット（４）は、内部に複数のコンデンサ素子（４０）を有し、前記第１部分（４１）における前記コンデンサ素子（４０）の前記第１方向（Ｄ１）の長さは、前記第２部分（４２）における前記コンデンサ素子（４０）の前記第１方向（Ｄ１）の長さよりも長いと好適である。
【００４９】
ケースやカバーにコンデンサ素子（４０）が収容されてコンデンサユニット（４）が形成される場合に、コンデンサユニット（４）の内部に収容されるコンデンサ素子（４０）自体の第１方向（Ｄ１）の長さが同一であっても、コンデンサユニット（４）の外観において第１長さ（Ｌ１）が第２長さ（Ｌ２）よりも長くなるようにコンデンサユニット（４）を形成することは可能である。この場合には、例えば、コンデンサユニット（４）の内部でバスバー等によってコンデンサ素子（４０）を接続したり、無駄な空間を設けたりする必要があり、インピーダンスの低減は限定的となる。このため、コンデンサユニット（４）の内部には、コンデンサ素子（４０）が密に存在していることが好ましい。即ち、コンデンサユニット（４）の内部に存在するコンデンサ素子（４０）の第１部分（４１）における第１方向（Ｄ１）の長さが、第２部分（４２）における第１方向（Ｄ１）の長さよりも長いと、適切にインピーダンスが低減される。
【００５０】
また、前記第１部分（４１）には、前記コンデンサユニット（４）の正負それぞれの電極である第１正電極（４１Ｐ）及び第１負電極（４１Ｎ）が、それぞれ前記第１方向（Ｄ１）に沿う側面に沿った側面電極（４１Ｅ）を有して備えられ、前記スイッチング素子ユニット（３）は、前記インバータ回路（１０）の直流側の正極（Ｐ）及び負極（Ｎ）に接続される正極端子（３Ｐ）及び負極端子（３Ｎ）を備え、前記第１正電極（４１Ｐ）と前記正極端子（３Ｐ）とを電気的に接続する第１正極バスバー（５Ｐ）、及び、前記第１負電極（４１Ｎ）と前記負極端子（３Ｎ）とを電気的に接続する第１負極バスバー（５Ｎ）は、それぞれ、前記側面電極（４１Ｅ）に接した状態で前記第１方向（Ｄ１）に延びる第１方向延在部（５１）を有すると好適である。
【００５１】
上述したように、第１部分（４１）は、第２方向（Ｄ２）に見てスイッチング素子モジュール（３）と重複している。従って、第１部分（４１）の側面電極（４１Ｅ）も、第２方向（Ｄ２）に見てスイッチング素子モジュール（３）と重複する位置に設けることができる。側面電極（４１Ｅ）と、スイッチング素子ユニット（３）の直流端子（正極端子（３Ｐ），負極端子（３Ｎ））とを接続するバスバー（第１正極バスバー（５Ｐ），第１負極バスバー（５Ｎ））は、側面電極（４１Ｅ）に接した状態で設けられている。即ち、当該バスバー（５Ｐ，５Ｎ）は、第２方向（Ｄ２）に見てスイッチング素子モジュール（３）と重複する位置に配置されており、側面電極（４１Ｅ）及びスイッチング素子ユニット（３）の直流端子（３Ｐ，３Ｎ）の双方の近くに位置することができる。従って、当該バスバー（５Ｐ，５Ｎ）のインピーダンスを更に低減することができる。
【００５２】
また、前記第１部分（４１）が、側面電極（４１Ｅ）としての第１正電極（４１Ｐ）及び第１負電極（４１Ｎ）を備え、前記スイッチング素子ユニット（３）が、前記正極端子（３Ｐ）及び前記負極端子（３Ｎ）を備え、前記第１正極バスバー（５Ｐ）及び前記第１負極バスバー（５Ｎ）が、それぞれ、前記第１方向延在部（５１）を有する場合、さらに、２つの前記第１部分（４１（４１ａ，４１ｂ））が、前記第１方向（Ｄ１）及び前記第２方向（Ｄ２）に直交する第３方向（Ｄ３）に沿った２箇所に、間隔を空けて分割配置され、前記スイッチング素子ユニット（３）の前記正極端子（３Ｐ）及び前記負極端子（３Ｎ）が、分割配置された２つの前記第１部分（４１（４１ａ，４１ｂ））の間に配置され、分割配置された２つの前記第１部分（４１（４１ａ，４１ｂ））の前記側面電極（４１Ｅ）が前記第３方向（Ｄ３）に見て対向するように、２つの前記第１部分（４１（４１ａ，４１ｂ））の内の一方（４１ａ（又は４１ｂ））に前記第１正電極（４１Ｐ）が形成され、他方（４１ｂ（又は４１ａ））に前記第１負電極（４１Ｎ）が形成され、前記第１正極バスバー（５Ｐ）及び前記第１負極バスバー（５Ｎ）は、それぞれ、前記第１正電極（４１Ｐ）及び前記第１負電極（４１Ｎ）に沿うと共に前記第３方向（Ｄ３）に見て対向するように配置されていると好適である。
【００５３】
２つの第１部分（４１（４１ａ，４１ｂ））の間に、スイッチング素子ユニット（３）の直流端子（３Ｄ（正極端子（３Ｐ）及び負極端子（３Ｎ）））が配置されることにより、コンデンサユニット（４）とスイッチング素子ユニット（３）との距離が短くなり、インバータユニット（１）の空間利用効率が高くなる。また、２つの第１部分（４１（４１ａ，４１ｂ））が対向する面のそれぞれに側面電極（４１Ｅ）が形成されているので、スイッチング素子ユニット（３）の直流端子（３Ｄ（３Ｐ，３Ｎ））と側面電極（４１Ｅ）との距離も近くなる。従って、スイッチング素子（３）の直流端子（３Ｐ，３Ｎ）と側面電極（４１Ｅ）とを電気的に接続するバスバー（第１正極バスバー（５Ｐ），第１負極バスバー（５Ｎ））の長さも短くすることができる。その結果、バスバー（５Ｐ，５Ｎ）のインピーダンスも低減することができる。
【００５４】
前記第１部分（４１）が、側面電極（４１Ｅ）としての第１正電極（４１Ｐ）及び第１負電極（４１Ｎ）を備え、前記スイッチング素子ユニット（３）が、前記正極端子（３Ｐ）及び前記負極端子（３Ｎ）を備え、前記第１正極バスバー（５Ｐ）及び前記第１負極バスバー（５Ｎ）が、それぞれ、前記第１方向延在部（５１）を有する場合、さらに、前記基準面（Ｒ１）に沿う面を第１電極面（Ｅ１）とし、前記第１電極面（Ｅ１）から前記第２長さ（Ｌ２）離間すると共に前記第１電極面（Ｅ１）に平行な面を第２電極面（Ｅ２）として、前記第２部分（４２）は、前記コンデンサユニット（４）の正負それぞれの電極として、前記第１方向（Ｄ１）における一方側に前記第１電極面（Ｅ１）及び前記第２電極面（Ｅ２）の何れか一方（Ｅ１（又はＥ２））に沿って形成された第２正電極（４２Ｐ）、他方側に前記第１電極面（Ｅ１）及び前記第２電極面（Ｅ２）の何れか他方（Ｅ１（又はＥ２））に沿って形成された第２負電極（４２Ｎ）を備え、前記第１電極面（Ｅ１）及び前記第２電極面（Ｅ２）の何れか一方（Ｅ１（又はＥ２））に沿うと共に前記第２正電極（４２Ｐ）に電気的に接続される第２正極バスバー（６Ｐ）と、前記第１電極面（Ｅ１）及び前記第２電極面（Ｅ２）の何れか他方（Ｅ２（又はＥ１））に沿うと共に前記第２負電極（４２Ｎ）に電気的に接続される第２負極バスバー（６Ｎ）とを備え、前記第１正極バスバー（５Ｐ）が前記第２正極バスバー（６Ｐ）に連続して形成されると共に、前記第１負極バスバー（５Ｎ）が前記第２負極バスバー（６Ｎ）に連続して形成されていると好適である。
【００５５】
上述したように、コンデンサユニット（４）は、第１部分（４１）と第２部分（４２）とを有している。第１部分（４１）の側面電極（４１Ｅ）には、第１正極バスバー（５Ｐ）及び第１負極バスバー（５Ｎ）が接続される。第２部分（４２）の２つの電極面（第１電極面（Ｅ１），第２電極面（Ｅ２））に沿って形成された第２正電極（４２Ｐ）及び第２負電極（４２Ｎ）に、第２正極バスバー（６Ｐ）及び第２負極バスバー（６Ｎ）が接続されることにより、第２部分（４２）も適切にインバータ回路（１０）の直流側に接続することができる。第２部分（４２）の２つの電極面（Ｅ１，Ｅ２）は、コンデンサユニット（４）及びスイッチング素子ユニット（３）が積層される第１方向（Ｄ１）に直交する第２方向（Ｄ２）及び第３方向（Ｄ３）に沿って（つまり、基準面（Ｒ１）に沿って）形成されている。従って、第２正電極（４２Ｐ）及び第２負電極（４２Ｎ）は、コンデンサユニット（４）やスイッチング素子ユニット（３）によって阻害されることなく、比較的広い電極として形成することができ、インピーダンスを低減することができる。また、これらの電極（４２Ｐ，４２Ｎ）に接続される第２正極バスバー（６Ｐ）及び第２負極バスバー（６Ｎ）も、同様に、基準面（Ｒ１）に沿った方向において比較的広い導体として形成することができるので、そのインピーダンスを低減することができる。さらに、第１正極バスバー（５Ｐ）が第２正極バスバー（６Ｐ）に連続して形成されると共に、第１負極バスバー（５Ｎ）が第２負極バスバー（６Ｎ）に連続して形成されているので、コンデンサユニット（４）における第１部分（４１）と第２部分（４２）との間にインピーダンスによる電位差が生じることを低減して適切にコンデンサユニット（４）をインバータ回路（１０）の直流側に接続することができる。
【００５６】
また、インバータユニット（１）は、前記コンデンサユニットを収容するコンデンサケース（７）を備え、前記コンデンサケース（７）は、前記第１正極バスバー（５Ｐ）及び前記第１負極バスバー（５Ｎ）のそれぞれの前記第１方向延在部（５１）に沿った板状突出部（７９）を有すると好適である。
【００５７】
第１正極バスバー（５Ｐ）及び第１負極バスバー（５Ｎ）には大電流が流れ、この電流により発生する磁界によってインダクタンスが増加する。板状突出部（７９）を設けることによって、このインダクタンスが低減される。具体的には、第１バスバー（５）（第１正極バスバー（５Ｐ）及び第１負極バスバー（５Ｎ））を流れる電流によって生じた磁界によって、板状突出部（７９）には渦電流が発生する。この渦電流が発生する磁界は、第１バスバー（５）を流れる電流によって生じた磁界と向きが逆方向となる。即ち、渦電流によって生じる磁界は、第１バスバー（５）を流れる電流によって生じる磁界を打ち消す方向となり、相互インダクタンス効果によって、第１バスバー（５）のインダクタンスが低減される。
【００５８】
また、前記コンデンサユニット（４）を収容するコンデンサケース（７）を備え、前記コンデンサケース（７）は、前記第１方向（Ｄ１）における、前記スイッチング素子ユニット（３）と前記第２部分（４２）との間に、冷媒が流通する冷媒流路（８）を備えると好適である。
【００５９】
スイッチング素子ユニット（３）及びコンデンサユニット（４）は共に発熱するユニットである。スイッチング素子ユニット（３）とコンデンサユニット（４）との間に、冷媒流路（８）を備えることによって、両ユニットを１つの冷却部材によって冷却することができる。従って、冷却機能を備えたインバータユニット（１）を小型に構成することができる。
【００６０】
また、前記インバータ回路（１０）を駆動制御する制御ユニット（２）を備え、前記コンデンサユニット（４）、前記スイッチング素子ユニット（３）、前記制御ユニット（２）が、前記第１方向（Ｄ１）に沿って記載の順に積層されていると好適である。
【００６１】
この構成によれば、これら複数のユニット（４，３，２）が第１方向（Ｄ１）に沿って積層されることにより、インバータユニット（１）を小型に構成することができる。
【符号の説明】
【００６２】
１      ：インバータユニット
２      ：制御ユニット
３      ：スイッチング素子ユニット
４      ：コンデンサユニット
５      ：第１バスバー
５Ｎ    ：第１負極バスバー
５Ｐ    ：第１正極バスバー
６      ：第２バスバー
６Ｎ    ：第２負極バスバー
６Ｐ    ：第２正極バスバー
７      ：コンデンサケース
８      ：冷媒流路
１０    ：インバータ回路
１１    ：直流電源
３０    ：スイッチング素子
４０    ：コンデンサ素子
４１    ：第１部分
４１Ｅ  ：側面電極
４１Ｎ  ：第１負電極
４１Ｐ  ：第１正電極
４２    ：第２部分
４２Ｎ  ：第２負電極
４２Ｐ  ：第２正電極
５１    ：第１方向延在部
７９    ：板状突出部
７９Ａ  ：板状突出部
７９Ｂ  ：板状突出部
８０    ：回転電機
Ｄ１    ：第１方向
Ｄ２    ：第２方向
Ｄ３    ：第３方向
Ｅ１    ：第１電極面
Ｅ２    ：第２電極面
Ｎ      ：負極
Ｐ      ：正極
Ｒ１    ：基準面
Ｐ      ：正極
Ｒ１    ：基準面
【図１】
0006677346.tif 000002
【図２】
0006677346.tif 000003
【図３】
0006677346.tif 000004
【図４】
0006677346.tif 000005
【図５】
0006677346.tif 000006
【図６】
0006677346.tif 000007
【図７】
0006677346.tif 000008
【図８】
0006677346.tif 000009
【図９】
0006677346.tif 000010
【図１０】
0006677346.tif 000011